(57)【要約】【課題】従来は、尋常性乾癬等の皮膚疾患の症状を改善する効果的な手段が未だ提案されていない。【解決手段】本発明では飲用オゾンナノバブル水により、尋常性乾癬等の皮膚疾患の症状改善をもたらしている。この飲用オゾンナノバブル水は、その塩分濃度を、生理食塩水と同等の、0.9％又はその近傍の値としており、これにより、塩分による生体組織への悪影響を抑制し、そしてその塩分濃度において、オゾンのナノバブル核による細胞賦活化能、組織保存能を効果的に発揮させることができる。この飲用オゾンナノバブル水は、塩分濃度が、0.9％又はその近傍の値の２倍以上高い水を原料水とし、そして塩分濃度を上記値に低下させるために混合する希釈用の水として、圧壊後、逆浸透膜を透過させて脱塩処理を行った水を使用している。【選択図】図１
2011120995.tif 000002
【特許請求の範囲】
【請求項１】
塩分濃度が、0.9％又はその近傍の値の水中に、安定化したオゾンナノバブル核が含有していることを特徴とする尋常性乾癬等の皮膚疾患の症状改善作用を有する飲用オゾンナノバブル水。
【請求項２】
塩分濃度が、0.9％又はその近傍の値の２倍以上高い第１の原料水に、サイズ50μｍ以下のマイクロバブルとしてオゾンを供給し、物理的刺激により圧壊させて、安定化したオゾンナノバブル核を水中に含有させた第１の混合用水を生成すると共に、
塩分濃度が、0.9％又はその近傍の値の２倍以上高い第２の原料水を逆浸透膜に透過させて脱塩処理を行って第２の混合用水を生成し、
これらの第１及び第２の混合用水を混合して、塩分濃度が、0.9％又はその近傍の値に調整することを特徴とする尋常性乾癬等の皮膚疾患の症状改善作用を有する飲用オゾンナノバブル水の製造方法。
【請求項３】
塩分濃度が、0.9％又はその近傍の値の２倍以上高い第１の原料水に、サイズ50μｍ以下のマイクロバブルとしてオゾンを供給し、物理的刺激により圧壊させて、安定化したオゾンナノバブル核を水中に含有させた第１の混合用水を生成すると共に、
塩分濃度が、0.9％又はその近傍の値の２倍以上高い第２の原料水に、サイズ50μｍ以下のマイクロバブルとしてオゾンを供給し、物理的刺激により圧壊させて、安定化したオゾンナノバブル核を水中に含有させた後、逆浸透膜を透過させて脱塩処理を行って第２の混合用水を生成し、
これらの第１及び第２の混合用水を混合して、塩分濃度が、0.9％又はその近傍の値に調整することを特徴とする尋常性乾癬等の皮膚疾患の症状改善作用を有する飲用オゾンナノバブル水の製造方法。
【請求項４】
第１及び第２の混合用水を混合した後に、再度、サイズ50μｍ以下のマイクロバブルとしてオゾンを供給し、物理的刺激により圧壊させて生成することを特徴とする請求項２又は３に記載の尋常性乾癬等の皮膚疾患の症状改善作用を有する飲用オゾンナノバブル水の製造方法。
【請求項５】
塩分濃度が、0.9％又はその近傍の値の２倍以上高い第１の原料水に、
塩分濃度が、0.9％又はその近傍の値の２倍以上高い第２の原料水を逆浸透膜に透過させて脱塩処理を行って生成した混合用水を混合して、
その塩分濃度を、0.9％又はその近傍の値に調整した後、サイズ50μｍ以下のマイクロバブルとしてオゾンを供給し、物理的刺激により圧壊させて、安定化したオゾンナノバブル核を水中に含有させた機能水を生成することを特徴とする尋常性乾癬等の皮膚疾患の症状改善作用を有する飲用オゾンナノバブル水の製造方法。
【請求項６】
塩分濃度が、0.9％又はその近傍の値の２倍以上高い第１の原料水に、
塩分濃度が、0.9％又はその近傍の値の２倍以上高い第２の原料水に、サイズ50μｍ以下のマイクロバブルとしてオゾンを供給し、物理的刺激により圧壊させて、安定化したオゾンナノバブル核を水中に含有させた後、逆浸透膜を透過させて脱塩処理を行って生成した混合用水を混合して、
その塩分濃度を、0.9％又はその近傍の値に調整した後、サイズ50μｍ以下のマイクロバブルとしてオゾンを供給し、物理的刺激により圧壊させて、安定化したオゾンナノバブル核を水中に含有させた機能水を生成することを特徴とする尋常性乾癬等の皮膚疾患の症状改善作用を有する飲用オゾンナノバブル水の製造方法。
【請求項７】
第１の原料水と第２の原料水が同一であることを特徴とする請求項２〜６のいずれか１項に記載の尋常性乾癬等の皮膚疾患の症状改善作用を有する飲用オゾンナノバブル水の製造方法。
【請求項８】
第１の原料水と第２の原料水の、少なくとも一方側が、塩分濃度が2％程度の海辺の井戸水であることを特徴とする請求項２〜７までのいずれか１項に記載の安定化した尋常性乾癬等の皮膚疾患の症状改善作用を有する飲用オゾンナノバブル水の製造方法。
【請求項９】
第１の原料水と第２の原料水の少なくとも一方側が、塩分濃度が３％程度の清浄な海域の海水である請求項１〜７までのいずれか１項に記載の尋常性乾癬等の皮膚疾患の症状改善作用を有する飲用オゾンナノバブル水の製造方法。
【発明の詳細な説明】
【技術分野】
【０００１】
本発明は安定化したオゾンナノバブル核を含有することにより尋常性乾癬等の皮膚疾患の症状改善作用を発揮させることのできる飲用オゾンナノバブル水及びその製造方法に関する。
【背景技術】
【０００２】
近年、水中にナノレベルの大きさの気泡、即ち、所望の気体のナノバブル核を含有させた水が注目されており、医療、農業、水産・養殖等の各分野への応用が図られている。
【０００３】
例えば、非特許文献１には、マイクロバブルとナノバブルの基礎と工学的な応用について記載されている。また非特許文献２〜４には、オゾンナノバブルの殺菌能や、オゾンナノバブルの細胞賦活化能、組織保存能等を利用した医療分野への応用について記載されている。また、非特許文献５には、農業への応用、非特許文献６にはマイクロあるいはナノバブルの水産・養殖分野への応用について記載されている。また上記非特許文献１には、ナノバブルの解析方法として、動的光散乱光度計による測定方法や、ナノバブルに起因するフリーラジカルを計測する電子スピン共鳴法（ＥＳＲ）による計測方法が記載されている。
【０００４】
更に、マイクロバブルの生成と、ナノバブルとしての安定化のメカニズム、そして概念的な安定化の方法は、上記非特許文献１に記載されており、またオゾンナノバブル水の製造方法の具体例が特許文献１に記載されている。
【０００５】
即ち、特許文献１に記載されたオゾンナノバブルの製造方法は、ミネラル類の電解質イオンが混入した水に、直径が10〜50μｍの微小気泡としてオゾンを供給し、そして水中放電に伴う衝撃波や、水の流動時に生じる圧縮、膨張及び渦流等の物理的刺激を加えることにより、微小気泡を縮小させ、この際、水素イオンや水酸化物イオン及び電解質イオンが気液界面に濃縮されて縮小された微小気泡の周囲を取り囲む殻として作用させることにより、縮小した微小気泡、即ち、オゾンナノバブル核を水中に安定化して存在するようにするものである。
【０００６】
本発明においては、このように水素イオンや水酸化物イオン及び電解質イオンが微小気泡の周囲を取り囲んで安定化している微小気泡を「ナノバブル核」と称する。また本発明においては、オゾンのナノバブル核を含む水を「オゾンナノバブル水」とも称する。更に上述したように物理的刺激を加えて、微小気泡が縮小する動作を、本発明においては、「圧壊」と称する。
【０００７】
ナノバブル核を含む水は、非特許文献２の項目３に記載されているように、生体に対して、組織の保存能力の他、修復、再生などの様々な力価や殺菌能を有しており、非特許文献３では、オゾンナノバブル核を含む水の強力な殺菌効果（塩素系の殺菌剤と比較して10〜30倍の殺菌効果）を利用した歯周病治療への応用において、含嗽による歯周ポケットの改善、ＢＯＰの減少が報告されている。
【先行技術文献】
【特許文献】
【０００８】
【特許文献１】特許第４０５９５０６号公報
【非特許文献】
【０００９】
【非特許文献１】高橋、「マイクロバブルとナノバブルの基礎と工学的応用」、月刊マテリアルインテグレーション、株式会社ティー・アイ・シー、2009年4月25日、第２２巻、第５号、ｐ．2-19
【非特許文献２】眞野、「ナノバブルの医療分野への応用」、月刊マテリアルインテグレーション、株式会社ティー・アイ・シー、2009年4月25日、第２２巻、第５号、ｐ．30-35
【非特許文献３】荒川、外２名、「ナノバブル水の歯周病治療への応用」、月刊マテリアルインテグレーション、株式会社ティー・アイ・シー、2009年4月25日、第２２巻、第５号、ｐ．36-43
【非特許文献４】北條、「オゾンナノバブルの抗炎症・抗細胞増殖作用−血管内皮および平滑筋細胞における効果−」、月刊マテリアルインテグレーション、株式会社ティー・アイ・シー、2009年4月25日、第２２巻、第５号、ｐ．44-48
【非特許文献５】玉置、「マイクロバブルの農業分野への利用の可能性−オゾンマイクロバブルを利用した水耕培養液の殺菌−」、月刊マテリアルインテグレーション、株式会社ティー・アイ・シー、2009年4月25日、第２２巻、第５号、ｐ．20-23
【非特許文献６】山本、「マイクロバブルの水産・養殖分野への応用」、月刊マテリアルインテグレーション、株式会社ティー・アイ・シー、2009年4月25日、第２２巻、第５号、ｐ．24-29
【発明の概要】
【発明が解決しようとする課題】
【００１０】
上述した文献に示されるように、オゾンナノバブル核を含む水の強力な殺菌効果を利用して歯周病治療等、医療分野に応用している例は従来からあるが、これらに用いられているオゾンナノバブル核を含む水の塩分濃度を最適化して用いている例はない。
【００１１】
例えば、従来は、例えば非特許文献３の第40頁左欄４行〜８行に「４名の中等度の歯周炎患者を被験者として、オゾンナノバブル水原液１回，20ml，20秒間の含嗽を毎日２回、２週間続けていただきました．その結果，３mm以上の歯周ポケットの61.8％（225部位中139部位）が１mm以上改善しました。」と記載されているように、提供されているオゾンナノバブル水をそのまま使用しており、オゾンナノバブル核を含む水の塩分濃度を最適化してはいない。尚、このような提供されているオゾンナノバブル水の塩分濃度は約1.8％である。
【００１２】
ところで、水に含まれる塩は、その浸透圧に起因する殺菌効果が古来から利用されており、オゾンナノバブル水に含まれている塩分は、オゾンナノバブル水としての殺菌効果の一翼を担っていることが考えられるが、生体に使用する場合には、濃度が高すぎると、その浸透圧に起因して、皮膚などの生体表面にダメージ等の悪影響を与える可能性もある。
【００１３】
従って、オゾンナノバブル水を生体に使用する場合には、その塩分濃度を最適化することは非常に重要なことである。
【００１４】
ところで非感染性疾患ではあるが難治性である疾患の一つとして、尋常性乾癬が知られている。この疾患の症状は、炎症性角化症であるが、皮疹部の紅赤した表皮は分裂と代謝を繰り返し、境界が明瞭な紅斑が表れ、皮疹部が痒く、精神的負担が大きい。この疾患の原因は不明で、遺伝的素因も指摘されているがはっきりしない。
【００１５】
この疾患の治療法はステロイドと活性型ビタミン剤を曲面に塗布する外用療法が主体であり、その他、内服療法、光線療法もあるが治療に長期間を要することが多い。またストレス、高カロリー食による肥満、風邪などの感染症を合併すると憎悪するので根気のいる治療が要求される。
【００１６】
上述した文献に示されるように、オゾンナノバブル水の強力な殺菌効果を利用して歯周治療等、医療分野に応用している例は従来からあるが、オゾンナノバブル水を、夫々の用途に対して最適化したオゾンナノバブル水の条件、特に、その塩分濃度の最適条件は提案されていない。
【００１７】
例えば、従来は、例えば非特許文献３の第40頁左欄４行〜８行に「４名の中等度の歯周炎患者を被験者として、オゾンナノバブル水原液１回，20ml，20秒間の含嗽を毎日２回、２週間続けていただきました．その結果，３mm以上の歯周ポケットの61.8％（225部位中139部位）が１mm以上改善しました。」と記載されているように、工業用や水産加工用として入手可能なオゾンナノバブル水をそのまま使用しており、塩分濃度を最適化する点は開示されていない。尚、このように入手可能なオゾンナノバブル水の塩分濃度は約2％であった。
【００１８】
本発明が解決しようとする課題は、上述した尋常性乾癬等の皮膚疾患の症状を改善する効果的な手段が未だ提案されていないことにある。
【課題を解決するための手段】
【００１９】
本発明では、上述した課題を解決するために、塩分濃度が、0.9％又はその近傍の値の水中に、安定化したオゾンナノバブル核が含有していることを特徴とする尋常性乾癬等の皮膚疾患の症状改善作用を有する飲用オゾンナノバブル水を提案する。
【００２０】
また本発明では、上述した課題を解決するために、塩分濃度が、0.9％又はその近傍の値の２倍以上高い第１の原料水に、サイズ50μｍ以下のマイクロバブルとしてオゾンを供給し、物理的刺激により圧壊させて、安定化したオゾンナノバブル核を水中に含有させた第１の混合用水を生成すると共に、
塩分濃度が、0.9％又はその近傍の値の２倍以上高い第２の原料水を逆浸透膜に透過させて脱塩処理を行って第２の混合用水を生成し、
これらの第１及び第２の混合用水を混合して、塩分濃度が、0.9％又はその近傍の値に調整することを特徴とする尋常性乾癬等の皮膚疾患の症状改善作用を有する飲用オゾンナノバブル水の製造方法を提案する。
【００２１】
また本発明は、上述した課題を解決するために、塩分濃度が、0.9％又はその近傍の値の２倍以上高い第１の原料水に、サイズ50μｍ以下のマイクロバブルとしてオゾンを供給し、物理的刺激により圧壊させて、安定化したオゾンナノバブル核を水中に含有させた第１の混合用水を生成すると共に、
塩分濃度が、0.9％又はその近傍の値の２倍以上高い第２の原料水に、サイズ50μｍ以下のマイクロバブルとしてオゾンを供給し、物理的刺激により圧壊させて、安定化したオゾンナノバブル核を水中に含有させた後、逆浸透膜を透過させて脱塩処理を行って第２の混合用水を生成し、
これらの第１及び第２の混合用水を混合して、塩分濃度が、0.9％又はその近傍の値に調整することを特徴とする尋常性乾癬等の皮膚疾患の症状改善作用を有する飲用オゾンナノバブル水の製造方法を提案する。
【００２２】
そして本発明では、上記の製造方法において、第１及び第２の混合用水を混合した後に、再度、サイズ50μｍ以下のマイクロバブルとしてオゾンを供給し、物理的刺激により圧壊させて生体用水を生成することを特徴とする尋常性乾癬等の皮膚疾患の症状改善作用を有する飲用オゾンナノバブル水の製造方法を提案する。
【００２３】
また本発明では、塩分濃度が、0.9％又はその近傍の値の２倍以上高い第１の原料水に、
塩分濃度が、0.9％又はその近傍の値の２倍以上高い第２の原料水を逆浸透膜に透過させて脱塩処理を行って生成した混合用水を混合して、
その塩分濃度を、0.9％又はその近傍の値に調整した後、サイズ50μｍ以下のマイクロバブルとしてオゾンを供給し、物理的刺激により圧壊させて、安定化したオゾンナノバブル核を水中に含有させた機能水を生成することを特徴とする尋常性乾癬等の皮膚疾患の症状改善作用を有する飲用オゾンナノバブル水の製造方法を提案する。
【００２４】
また本発明では、塩分濃度が、0.9％又はその近傍の値の２倍以上高い第１の原料水に、
塩分濃度が、0.9％又はその近傍の値の２倍以上高い第２の原料水に、サイズ50μｍ以下のマイクロバブルとしてオゾンを供給し、物理的刺激により圧壊させて、安定化したオゾンナノバブル核を水中に含有させた後、逆浸透膜を透過させて脱塩処理を行って生成した混合用水を混合して、
その塩分濃度を、0.9％又はその近傍の値に調整した後、サイズ50μｍ以下のマイクロバブルとしてオゾンを供給し、物理的刺激により圧壊させて、安定化したオゾンナノバブル核を水中に含有させた機能水を生成することを特徴とする尋常性乾癬等の皮膚疾患の症状改善作用を有する飲用オゾンナノバブル水の製造方法を提案する。
【００２５】
また本発明では、以上の製造方法において、第１の原料水と第２の原料水が同一である尋常性乾癬等の皮膚疾患の症状改善作用を有する飲用オゾンナノバブル水の製造方法を提案する。
【００２６】
また本発明では、上記の製造方法において、第１の原料水と第２の原料水の少なくとも一方側が、塩分濃度が2％程度の海辺の井戸水である尋常性乾癬等の皮膚疾患の症状改善作用を有する飲用オゾンナノバブル水の製造方法を提案する。
【００２７】
また本発明では、上記の製造方法において、第１の原料水と第２の原料水の少なくとも一方側が、塩分濃度が３％程度の清浄な海域の海水である尋常性乾癬等の皮膚疾患の症状改善作用を有する飲用オゾンナノバブル水の製造方法を提案する。
【発明の効果】
【００２８】
本発明者は、上述した難治性の疾患である尋常性乾癬に長年に渡って悩まされている患者の関係者からの相談に接して、鋭意考究の結果、安定化したオゾンナノバブル核を含有する水の細胞賦活化能、組織保存能に着目し、飲用水としてのオゾンナノバブル水は、その塩分濃度を、生理食塩水の塩分濃度と同等の、0.9％又はその近傍の値とすることに想到し、これにより、塩分による生体組織への悪影響を抑制し、そしてその塩分濃度において、オゾンのナノバブル核による細胞賦活化能、組織保存能を発揮させて、尋常性乾癬の症状を改善することができた。
【００２９】
この際、本発明に係る飲用オゾンナノバブル水は、塩分濃度が、0.9％又はその近傍の値の２倍以上高い水を原料水とし、そして生体用水の塩分濃度を上記0.9％又はその近傍の値に低下させるために混合する希釈用の水としては、塩分濃度が、0.9％又はその近傍の値の２倍以上高い水、例えば、塩分濃度が３％程度の清浄な海域の海水を、逆浸透膜に透過させて脱塩処理を行った水、又は、塩分濃度が、0.9％又はその近傍の値の２倍以上高い水にサイズ50μｍ以下のマイクロバブルとしてオゾンを供給し、物理的刺激により圧壊させて、安定化したオゾンナノバブル核を水中に含有させた後、逆浸透膜を透過させて脱塩処理を行った水を使用することにより、オゾンのナノバブル核を水中に効果的に存在させることができた。
【００３０】
上述した混合による塩分濃度の低下の過程は、圧壊の過程の前に行っても良いし、後に行っても良い。また前後に行っても良い。
【００３１】
上述した原料水としては、塩分濃度が2％程度の海辺の井戸水や塩分濃度が３％程度の清浄な海域の海水のように、各種の塩分を含む天然水を利用することにより、圧壊の過程において、良好にオゾンのナノバブル核を生成することができる。
【図面の簡単な説明】
【００３２】
【図１】図１は本発明の飲用オゾンナノバブル水の製造方法の第１の実施の形態の流れを示す模式的系統図である。
【図２】図２は本発明の飲用オゾンナノバブル水の製造方法の第２の実施の形態の流れを示す模式的系統図である。
【図３】図３は本発明の飲用オゾンナノバブル水の製造方法の第３の実施の形態の流れを示す模式的系統図である。
【図４】図４は本発明の飲用オゾンナノバブル水の製造方法の第４の実施の形態の流れを示す模式的系統図である。
【図５】図５は従来の治療法により治療を行った後の状態を示すものである。
【図６】図６は本発明の引用オゾンナノバブル水を３週間引用後の状態を示すものである。
【発明を実施するための形態】
【００３３】
以下、本発明の飲用オゾンナノバブル水の製造方法の実施の形態を添付図面を参照して説明する。
【００３４】
まず本発明の飲用オゾンナノバブル水の製造方法の第１の実施の形態を示す図１において、符号１は塩分濃度が、0.9％又はその近傍の値の２倍以上高い塩分を含有する第１の原料水（又はそのタンク）を示すもので、この第１の原料水１は、圧壊用容器２に供給される。この圧壊用容器２には、気体用ボンベ３から、気体、この場合、オゾンが、サイズ50μｍ以下のマイクロバブルとして供給され、この状態において物理的刺激が加えられて圧壊が行われる。尚、第１の原料水とオゾンのマイクロバブルとの混合は、他の混合タンク等において行うようにすることもできることは勿論である。
【００３５】
圧壊用容器２に、サイズ50μｍ以下のマイクロバブルとして供給されたオゾンは、物理的刺激により縮小し、この際、水中の水素イオンや水酸化物イオン及び電解質イオンが気液界面に濃縮されて、縮小された微小気泡の周囲を取り囲む殻として作用し、縮小した微小気泡、即ち、オゾンナノバブル核として水中に安定化して存在するようになる。
【００３６】
こうして圧壊用容器２において、オゾンが圧壊された第１の混合用水は混合タンク４に導入される。
【００３７】
次に、符号５は塩分濃度が、0.9％又はその近傍の値の２倍以上高い塩分を含有する第２の原料水（又はそのタンク）を示すもので、この第２の原料水５は、圧壊用容器６に供給される。この圧壊用容器６には、気体用ボンベ７から、オゾンが、サイズ50μｍ以下のマイクロバブルとして供給され、この状態において物理的刺激が加えられて圧壊が行われる。上記と同様に第２の原料水とオゾンのマイクロバブルとの混合も、他の混合タンク等において行うようにすることもできることは勿論である。
【００３８】
圧壊用容器６に、サイズ50μｍ以下のマイクロバブルとして供給されたオゾンは、物理的刺激により縮小し、この際、水中の水素イオンや水酸化物イオン及び電解質イオンが気液界面に濃縮されて、縮小された微小気泡の周囲を取り囲む殻として作用し、縮小した微小気泡、即ち、オゾンナノバブル核として水中に安定化して存在するようになる。
【００３９】
こうして圧壊用容器６において、オゾンが圧壊された第２の原料水は、逆浸透膜８を透過して塩分と、雑菌やＭｎ、Ｍｇ等の不純物が除去されて第２の混合用水として生成され、この第２の混合用水は混合タンク４に導入される。尚、逆浸透膜８による塩分等の除去は、一段のみで行っても良いし、複数段、例えば２段式に行うことができる。
【００４０】
混合タンク４においては、周知の混合手段により、第１の混合用水と第２の混合用水が所定の混合比で混合され、これにより塩分濃度が生理食塩水と同等の0.9％又はその近傍の値に調整されて、生体用水として生成される。
【００４１】
ここで、第２の混合用水は、塩分濃度が、0.9％又はその近傍の値の２倍以上高い塩分を含有する第２の原料水に、オゾンをマイクロバブルとして供給して圧壊するため、安定化したオゾンナノバブル核が効率的に生成されるのであり、従って逆浸透膜８を透過させる際に、ナノバブル核が、少なからず除去されてしまうとは云っても、より小径のナノバブル核が少なからず残留する可能性がある。
【００４２】
従って、圧壊後、逆浸透膜を透過していない第１の混合用水を、単なる淡水や純水と混合して希釈することにより、生体用水を製造する場合と比較して、オゾンナノバブル核を量的及び質的に良好に含有させた生体用水を製造することができる。
【００４３】
また、第２の原料水として、塩分濃度が３％程度の清浄な海域の海水を使用する場合には、海水中に有用な種々の塩分が含まれるため、図１中の２点鎖線の矢印で示すように、オゾンの圧壊を行わずに、直接に逆浸透膜８に透過させたものを第２の混合用水として利用することもできる。
【００４４】
ここで、塩分濃度が、0.9％又はその近傍の値の２倍以上高い塩分を含有する第１の原料水及び第２の原料水としては、塩分濃度が2％程度の海辺の井戸水や、塩分濃度が３％程度の清浄な海域の海水等を使用することができる。これらの井戸水や海水は、いずれか一方を第１（又は第２）の原料水として使用し、他方を第２（又は第１）の原料水として使用する他、これらの井戸水や海水の一方のみを、第１及び第２の原料水として使用することもできる。即ち、後者では、第１の原料水と第２の原料水が同一である。
【００４５】
図２は、本発明の飲用オゾンナノバブル水の製造方法の第２の実施の形態を示すものであり、この第２の実施の形態では、原料水は、井戸水や海水の一方のみを使用している。
符号１１は塩分濃度が、0.9％又はその近傍の値の２倍以上高い塩分を含有する原料水（又はそのタンク）を示すもので、この原料水１１は、圧壊用容器１２に供給される。この圧壊用容器１２には、気体用ボンベ１３からオゾンが、サイズ50μｍ以下のマイクロバブルとして供給され、この状態において物理的刺激が加えられて圧壊が行われる。尚、原料水とオゾンのマイクロバブルとの混合は、他の混合タンク等において行うようにすることもできることは勿論である。
【００４６】
圧壊用容器１２に、サイズ50μｍ以下のマイクロバブルとして供給されたオゾンは、物理的刺激により縮小し、この際、水中の水素イオンや水酸化物イオン及び電解質イオンが気液界面に濃縮されて、縮小された微小気泡の周囲を取り囲む殻として作用し、縮小した微小気泡、即ち、オゾンナノバブル核として水中に安定化して存在するようになる。
【００４７】
こうして圧壊用容器１２において、オゾンが圧壊された第１の混合用水は混合タンク４に導入される。
【００４８】
第１の混合用水の一部は、逆浸透膜１５に導入され、これを透過して塩分と、雑菌やＭｎ、Ｍｇ等の不純物が除去されて第２の混合用水として生成され、この第２の混合用水は混合タンク１４に導入される。尚、逆浸透膜１５による塩分等の除去は、一段のみで行っても良いし、複数段、例えば２段式に行うことができる。
【００４９】
混合タンク１４においては、上述と同様に周知の混合手段により、第１の混合用水と第２の混合用水が所定の混合比で混合され、これにより塩分濃度が生理食塩水と同等の0.9％又はその近傍の値に調整されて、生体用水として生成される。
【００５０】
このように、この第２の実施の形態においても、第１の及び第２の混合用水は、塩分濃度が、0.9％又はその近傍の値の２倍以上高い塩分を含有する原料水に、オゾンをマイクロバブルとして供給して圧壊するため、安定化したオゾンナノバブル核が効率的に生成されるのであり、従って、第２の混合用水は、逆浸透膜を透過させる際に、ナノバブル核が、少なからず除去されてしまうとは云っても、より小径のナノバブル核が少なからず残留しており、従って上記第１の実施の形態と同様に、圧壊後、逆浸透膜を透過していない第１の混合用水を、単なる淡水や純水と混合して希釈することにより、生体用水を製造する場合と比較して、オゾンナノバブル核を量的及び質的に良好に含有させた生体用水を製造することができる。
【００５１】
この実施の形態においても、第２の原料水として、塩分濃度が３％程度の清浄な海域の海水を使用する場合には、海水中に有用な種々の塩分が含まれるため、図２中の２点鎖線の矢印で示すように、オゾンの圧壊を行わずに、直接に逆浸透膜８に透過させたものを第２の混合用水として使用することもできる。
【００５２】
次に図３は本発明の飲用オゾンナノバブル水の製造方法の第３の実施の形態を示すものである。
図３において、符号２１は塩分濃度が、0.9％又はその近傍の値の２倍以上高い塩分を含有する第１の原料水（又はそのタンク）を示すもので、この第１の原料水１は、混合タンク２２に導入される。
【００５３】
符号２３は塩分濃度が、0.9％又はその近傍の値の２倍以上高い塩分を含有する第２の原料水（又はそのタンク）を示すもので、この第２の原料水２３は、圧壊用容器２４に供給される。この圧壊用容器２４には、気体用ボンベ２５から、オゾンが、サイズ50μｍ以下のマイクロバブルとして供給され、この状態において物理的刺激が加えられて圧壊が行われる。上記と同様に第２の原料水とオゾンのマイクロバブルとの混合も、他の混合タンク等において行うようにすることもできることは勿論である。
【００５４】
圧壊用容器２４に、サイズ50μｍ以下のマイクロバブルとして供給されたオゾンは、物理的刺激により縮小し、この際、水中の水素イオンや水酸化物イオン及び電解質イオンが気液界面に濃縮されて、縮小された微小気泡の周囲を取り囲む殻として作用し、縮小した微小気泡、即ち、オゾンナノバブル核として水中に安定化して存在するようになる。
【００５５】
こうして圧壊用容器２４において、オゾンが圧壊された第２の原料水は、逆浸透膜２６を透過して、塩分と、雑菌やＭｎ、Ｍｇ等の不純物が除去されて混合用水として生成され、この混合用水は混合タンク２２に導入される。尚、逆浸透膜２６による塩分等の除去は、一段のみで行っても良いし、複数段、例えば２段式に行うことができる。
【００５６】
混合タンク２２においては、上述と同様に周知の混合手段により、第１の原料水と混合用水が所定の混合比で混合され、これにより塩分濃度が生理食塩水と同等の0.9％又はその近傍の値に調整され、次いで、圧壊用容器２７に導入される。
【００５７】
圧壊用容器２７には、気体用ボンベ２８から、オゾンが、サイズ50μｍ以下のマイクロバブルとして供給され、この状態において物理的刺激が加えられて圧壊が行われる。尚、混合された第１の原料水及び混合用水と、オゾンのマイクロバブルとの混合は、他の混合タンク等において行うようにすることもできることは勿論である。
【００５８】
圧壊用容器２７に、サイズ50μｍ以下のマイクロバブルとして供給されたオゾンは、物理的刺激により縮小し、この際、水中の水素イオンや水酸化物イオン及び電解質イオンが気液界面に濃縮されて、縮小された微小気泡の周囲を取り囲む殻として作用し、縮小した微小気泡、即ち、オゾンナノバブル核として水中に安定化して存在するようになる。
【００５９】
こうして圧壊用容器２７において、オゾンが圧壊されることにより、塩分濃度が、0.9％又はその近傍の値に調整された生体用水２９が生成される。
【００６０】
圧壊用容器２７においてオゾンの圧壊が行われる水の濃度は、0.9％又はその近傍の値に調整されているため、塩分濃度の観点からは、第１の原料水をそのままの濃度で圧壊を行う場合と比較して、オゾンナノバブル核の生成効率は悪い。しかしながら、このように濃度を低下させるために希釈水として使用する水は、第２の原料水を、圧壊後、逆浸透膜２６を透過させた混合用水であり、この混合用水は、上述したように、逆浸透膜を透過させる際に、ナノバブル核が、少なからず除去されてしまうとは云っても、より小径のナノバブル核が少なからず残留しているため、第１の原料水２１と混合して圧壊容器２７において圧壊することにより、塩分濃度が低い状態での圧壊ではあっても、オゾンナノバブル核を量的及び質的に良好に含有させた生体用水を製造することができる。
【００６１】
また、第２の原料水として、塩分濃度が３％程度の清浄な海域の海水を使用する場合には、海水中に有用な種々の塩分が含まれるため、図３中の２点鎖線の矢印で示すように、オゾンの圧壊を行わずに、直接に逆浸透膜２６に透過させたものを混合用水として使用することもできる。
【００６２】
この実施の形態においても、塩分濃度が、0.9％又はその近傍の値の２倍以上高い塩分を含有する第１の原料水及び第２の原料水としては、塩分濃度が2％程度の海辺の井戸水や塩分濃度が３％程度の清浄な海域の海水等を使用することができる。これらの井戸水や海水は、いずれか一方を第１（又は第２）の原料水として使用し、他方を第２（又は第１）の原料水として使用する他、これらの井戸水や海水の一方のみを、第１及び第２の原料水として使用することができる。即ち、後者では、第１の原料水と第２の原料水が同一である。
【００６３】
図４は、本発明の飲用オゾンナノバブル水の製造方法の第４の実施の形態を示すものであり、この第４の実施の形態では、原料水は、井戸水や海水の一方のみを使用している。
図４において、符号３１は塩分濃度が、0.9％又はその近傍の値の２倍以上高い塩分を含有する原料水（又はそのタンク）を示すもので、この原料水３１は、混合タンク３２に導入される。
【００６４】
混合タンク３２においては、上述と同様に周知の混合手段により、後述する混合用水と混合され、これにより塩分濃度が生理食塩水と同等の0.9％又はその近傍の値に調整され、次いで、圧壊用容器３３に導入される。
【００６５】
圧壊用容器３３には、気体用ボンベ３４から、オゾンが、サイズ50μｍ以下のマイクロバブルとして供給され、この状態において物理的刺激が加えられて圧壊が行われる。尚、混合された原料水３１及び混合用水と、オゾンのマイクロバブルとの混合は、他の混合タンク等において行うようにすることもできることは勿論である。
【００６６】
こうして圧壊用容器３３において、オゾンが圧壊されることにより、塩分濃度が、0.9％又はその近傍の値に調整された生体用水３５が生成され、その一部は逆浸透膜３６に導入される。そして、この逆浸透膜３６を透過し、脱塩処理されて、混合用水が生成され、この混合用水が上述した混合タンク３２に導入されて、上述した混合がなされる。
【００６７】
圧壊用容器３３においてオゾンの圧壊が行われる水の濃度は、0.9％又はその近傍の値に調整されているため、塩分濃度の観点からは、原料水をそのままの濃度で圧壊を行う場合と比較して、オゾンナノバブル核の生成効率は悪い。しかしながら、このように濃度を低下させるために希釈水として使用する水は、原料水を、圧壊後、逆浸透膜３６を透過させた混合用水であること、また、圧壊後に濃度を低下させるための希釈の過程を有しないため、塩分濃度が低い状態での圧壊ではあっても、オゾンナノバブル核を量的及び質的に良好に含有させた生体用水を製造することができる。
【００６８】
尚、原料水として、塩分濃度が３％程度の清浄な海域の海水を使用する場合には、海水中に有用な種々の塩分が含まれるため、図４中の２点鎖線の矢印で示すように、オゾンの圧壊を行わずに、直接に逆浸透膜８に透過させたものを混合用水として使用することもできる。
【実施例１】
【００６９】
本発明により製造された塩分濃度が0.9％のオゾンナノバブル核を含有する飲用オゾンナノバブル水を、長年に渡って尋常性乾癬に長年に渡って悩まされており、外用療法等を行っても症状が全く改善しない患者に対して飲用させた。
【００７０】
図５は、ビマダーム及びヒルロイドソフト軟膏の等量混合剤にて、ビタミンＤ３軟膏入浴直後に皮膚疹部に塗布する治療を行った状態を示すもので、症状が改善されていないことが分かる。
【００７１】
一方、図６は、他の処置や医療行為は一切しない状態において、本発明により製造された塩分濃度が0.9％のオゾンナノバブル核を含有する飲用オゾンナノバブル水を、最初の１週間は100cc、第２週目からの１週間は50cc、第３週目から１週間は25ccを飲用させた後の状態を示すものである。
図から分かるように、本発明により製造された塩分濃度が0.9％のオゾンナノバブル核を含有する飲用オゾンナノバブル水を飲用することにより、尋常性乾癬がほぼ全治といえる状態まで改善されていることが分かる。
【産業上の利用可能性】
【００７２】
以上のことから本発明では、塩分濃度を、生理食塩水の塩分濃度と同等の、0.9％又はその近傍の値とした飲用オゾンナノバブル水を飲用することにより、塩分による生体組織への悪影響は抑制した状態で、オゾンのナノバブル核による細胞賦活化能、組織保存能を発揮させて、尋常性乾癬の症状を改善することができ、この他、関節症性乾癬、膿疱性乾癬、滴状乾癬や、アトピー性皮膚炎等の他の皮膚疾患の症状の改善が期待される。
【符号の説明】
【００７３】
１，５，１１，２１，２３，３１  原料水（又はそのタンク）
２，６，１２，２２，２４，３３  圧壊用容器
３，７，１３，２５，２８，３４  オゾンタンク
４，１４，２２，３２            混合タンク
８，１５，２６，３６            逆浸透膜
９，１６，２９，３５            生体用水
【図１】
2011120995.tif 000003
【図２】
2011120995.tif 000004
【図３】
2011120995.tif 000005
【図４】
2011120995.tif 000006
【図５】
2011120995.tif 000007
【図６】
2011120995.tif 000008